(57)【要約】【課題】  外部等で発生した各種のイベントに対して映像を細かく制御して録画可能な映像録画制御装置及び映像録画制御装置の制御方法を提供することにある。【解決手段】撮影手段によって撮影された映像に必要に応じて所定の処理を行うと共に、記憶手段に対しての録画の制御を行うイベント処理手段と、イベント処理手段で行う映像への処理内容又は及び録画の制御内容であるイベント情報を、映像録画制御装置の外部又は及び内部で発生したイベント事象に応じて生成するイベント情報生成手段とを備え、イベント情報生成手段がイベント事象に応じて生成したイベント情報により、イベント処理手段が映像への処理内容又は及び録画の制御内容を変えることを特徴とする。【選択図】図１
2020072456.tif 000002
【特許請求の範囲】
【請求項１】
撮影された映像の保存を制御するための映像録画制御装置において、
撮影手段によって撮影された映像に必要に応じて所定の処理を行うと共に、記憶手段に対しての録画の制御を行うイベント処理手段と、
該イベント処理手段で行う該映像への処理内容又は及び録画の制御内容であるイベント情報を、該映像録画制御装置の外部又は及び内部で発生したイベント事象に応じて生成するイベント情報生成手段とを備え、
該イベント情報生成手段が該イベント事象に応じて生成した該イベント情報により、該イベント処理手段が該映像への処理内容又は及び録画の制御内容を変えることを特徴とする映像録画制御装置。
【請求項２】
前記イベント情報生成手段が、
前記イベント処理手段で行う前記映像への処理内容又は及び録画の制御内容の具体的項目であるイベント設定情報を入力設定するイベント設定情報入力設定手段と、
前記イベント事象の発生を検出すると共に、該イベント事象の内容であるイベント事象情報を生成するイベント事象検出手段とを有し、
該イベント情報生成手段が、該イベント設定情報と該イベント事象情報とにより、前記イベント情報を生成することを特徴とする請求項１記載の映像録画制御装置。
【請求項３】
前記イベント事象検出手段が検出する前記イベント事象が、
前記映像録画制御装置の外部に設けられたセンサーの検出によるセンサー検知、前記撮影手段によって撮影された映像の所定の変化の検出による映像変化検知、該撮影手段によって撮影された映像を解析することによって得られる所定の事象の検出による映像解析検知、又は音声入力手段に採取された音声を解析することによって得られる所定の事象の検出による音声検知であることを特徴とする請求項１又は請求項２記載の映像録画制御装置。
【請求項４】
前記センサー検知における検出する内容、前記映像変化検知における検出する変化の内容、前記映像解析検知における検出する解析の内容及び前記音声検知における検出する解析の内容であるイベント事象検知条件を入力設定するイベント事象検知条件入力設定手段を備えることを特徴とする請求項３記載の映像録画制御装置。
【請求項５】
前記イベント設定情報のうち、前記映像への処理内容が、
画質の変更又はマスキングであることを特徴とする請求項２〜請求項４のいずれかに記載の映像録画制御装置。
【請求項６】
前記イベント設定情報のうち、前記録画の制御内容が、
録画の有無又は録音の有無であることを特徴とする請求項２〜請求項５のいずれかに記載の映像録画制御装置。
【請求項７】
各種の前記イベント事象に対し、どのような前記イベント設定情報を組み合わせるかを、予めパターン化したイベントパターン情報を入力設定するイベントパターン入力設定手段と、
複数の該イベントパターン情報を切り替えるイベントパターン切替手段とを備えることを特徴とする請求項２〜請求項６のいずれかに記載の映像録画制御装置。
【請求項８】
前記イベントパターン切替手段が、前記映像録画制御装置の外部から指令で、前記イベントパターン情報を切り替えられることを特徴とする請求項７記載の映像録画制御装置。
【請求項９】
撮影された映像の保存を制御するための映像録画制御装置の制御方法において、
該映像への処理内容又は及び録画の制御内容であるイベント情報を、該映像録画制御装置の外部又は及び内部で発生したイベント事象に応じて生成し、
該イベント情報により、該映像への処理内容又は及び録画の制御内容を変えることを特徴とする映像録画制御装置の制御方法。
【請求項１０】
前記映像への処理内容又は及び録画の制御内容の具体的項目であるイベント設定情報を、予め入力し、
前記イベント事象の発生を検出すると、該イベント事象の内容であるイベント事象情報を生成し、
該イベント設定情報と該イベント事象情報とにより、前記イベント情報を生成することを特徴とする請求項９記載の映像録画制御装置の制御方法。
【請求項１１】
前記イベント事象が、
前記映像録画制御装置の外部に設けられたセンサーの検出によるセンサー検知、前記撮影手段によって撮影された映像の所定の変化の検出による映像変化検知、該撮影手段によって撮影された映像を解析することによって得られる所定の事象の検出による映像解析検知、又は音声入力手段に採取された音声を解析することによって得られる所定の事象の検出による音声検知であることを特徴とする請求項９又は請求項１０記載の映像録画制御装置の制御方法。
【請求項１２】
前記センサー検知における検出する内容、前記映像変化検知における検出する変化の内容、前記映像解析検知における検出する解析の内容及び前記音声検知における検出する解析の内容であるイベント事象検知条件を、予め入力設定可能であることを特徴とする請求項１１記載の映像録画制御装置の制御方法。
【請求項１３】
前記イベント設定情報のうち、前記映像への処理内容が、
画質の変更又はマスキングであることを特徴とする請求項１０〜請求項１２のいずれかに記載の映像録画制御装置の制御方法。
【請求項１４】
前記イベント設定情報のうち、前記録画の制御内容が、
録画の有無又は録音の有無であることを特徴とする請求項１０〜請求項１３のいずれかに記載の映像録画制御装置の制御方法。
【請求項１５】
各種の前記イベント事象に対し、どのような前記イベント設定情報を組み合わせるかを、予めパターン化したイベントパターン情報を入力し、
複数の該イベントパターン情報を切り替えることが可能なことを特徴とする請求項１０〜請求項１４のいずれかに記載の映像録画制御装置の制御方法。
【請求項１６】
前記映像録画制御装置の外部から指令で、前記イベントパターン情報を切り替えられることを特徴とする請求項１５記載の映像録画制御装置の制御方法。
【発明の詳細な説明】
【技術分野】
【０００１】
本発明は、撮影された映像の保存を制御するための映像録画制御装置及び映像録画制御装置の制御方法に関する。
【背景技術】
【０００２】
従来より、防犯などを目的に撮影手段で撮られた映像を録画する装置がある。例えば、特許文献１の画像記録装置は、二つのカメラと、カメラからの画像データをデジタルデータに変換するデコーダと、デコーダから出力されるデータを圧縮するとともに外部への出力の際にデータを伸長するＪＰＥＧコーデック部と、ＪＰＥＧコーデック部で圧縮されたデータを記憶する記憶部と、ＪＰＥＧコーデック部で伸長されたデータをデジタル・アナログ変換するエンコーダと、フラッシュメモリと、音や振動を検知するトリガインターフェースと、制御部とを有している。
【０００３】
そして、記憶部は、すべてのメモリ領域に画像データが格納された後は、一番古い画像データが格納されたメモリ領域から順次に新しい画像データに上書き更新し、制御部は、圧縮率の異なる二つのカメラからの画像データの一画像ごとのメモリ領域の大きさを、画像データの画質に対応してあらかじめ定めた設定値に切替えると共に、一画像ごとの画像データのデータ量がメモリ領域の大きさと関連する所定範囲から外れるときは圧縮率を補正し、トリガインターフェースからトリガ信号の入力があったときは、記憶部に格納されている画像データをフラッシュメモリに転送して保存し、フラッシュメモリに保存されているデータを利用する場合には、データをＪＰＥＧコーデック部に送って伸長した後にエンコーダでデジタル・アナログ変換して外部へ出力することを特徴としている。
【先行技術文献】
【特許文献】
【０００４】
【特許文献１】特開２００２−１３５７２３号公報
【発明の概要】
【発明が解決しようとする課題】
【０００５】
しかしながら、従来の映像録画制御装置では、あくまでも画像データを継続的に保存し、トリガ信号の入力があったときは、記憶部に格納されている画像データをフラッシュメモリに転送して保存するだけで、外部等で発生する各種のイベントに対して映像を細かく制御することを行っていない。
【０００６】
本発明は、このような事情に鑑みてなされたもので、外部等で発生した各種のイベントに対して映像を細かく制御して録画可能な映像録画制御装置及び映像録画制御装置の制御方法を提供することにある。
【課題を解決するための手段】
【０００７】
請求項１記載の映像録画制御装置は、撮影手段によって撮影された映像に必要に応じて所定の処理を行うと共に、記憶手段に対しての録画の制御を行うイベント処理手段と、イベント処理手段で行う映像への処理内容又は及び録画の制御内容であるイベント情報を、映像録画制御装置の外部又は及び内部で発生したイベント事象に応じて生成するイベント情報生成手段とを備え、イベント情報生成手段がイベント事象に応じて生成したイベント情報により、イベント処理手段が映像への処理内容又は及び録画の制御内容を変えることを特徴とする。
【０００８】
請求項２記載の映像録画制御装置は、イベント情報生成手段が、イベント処理手段で行う映像への処理内容又は及び録画の制御内容の具体的項目であるイベント設定情報を入力設定するイベント設定情報入力設定手段と、イベント事象の発生を検出すると共に、イベント事象の内容であるイベント事象情報を生成するイベント事象検出手段とを有し、イベント情報生成手段が、イベント設定情報とイベント事象情報とにより、イベント情報を生成することを特徴とする。
【０００９】
請求項３記載の映像録画制御装置は、イベント事象検出手段が検出するイベント事象が、映像録画制御装置の外部に設けられたセンサーの検出によるセンサー検知、撮影手段によって撮影された映像の所定の変化の検出による映像変化検知、撮影手段によって撮影された映像を解析することによって得られる所定の事象の検出による映像解析検知、又は音声入力手段に採取された音声を解析することによって得られる所定の事象の検出による音声検知であることを特徴とする。
【００１０】
請求項４記載の映像録画制御装置は、センサー検知における検出する内容、映像変化検知における検出する変化の内容、映像解析検知における検出する解析の内容及び音声検知における検出する解析の内容であるイベント事象検知条件を入力設定するイベント事象検知条件入力設定手段を備えることを特徴とする。
【００１１】
請求項５記載の映像録画制御装置は、イベント設定情報のうち、映像への処理内容が、画質の変更又はマスキングであることを特徴とする。
【００１２】
請求項６記載の映像録画制御装置は、イベント設定情報のうち、録画の制御内容が、録画の有無又は録音の有無であることを特徴とする。
【００１３】
請求項７記載の映像録画制御装置は、各種のイベント事象に対し、どのようなイベント設定情報を組み合わせるかを、予めパターン化したイベントパターン情報を入力設定するイベントパターン入力設定手段と、複数のイベントパターン情報を切り替えるイベントパターン切替手段とを備えることを特徴とする。
【００１４】
請求項８記載の映像録画制御装置は、イベントパターン切替手段が、映像録画制御装置の外部から指令で、イベントパターン情報を切り替えられることを特徴とする。
【００１５】
請求項９記載の映像録画制御装置の制御方法は、映像への処理内容又は及び録画の制御内容であるイベント情報を、映像録画制御装置の外部又は及び内部で発生したイベント事象に応じて生成し、イベント情報により、映像への処理内容又は及び録画の制御内容を変えることを特徴とする。
【００１６】
請求項１０記載の映像録画制御装置の制御方法は、映像への処理内容又は及び録画の制御内容の具体的項目であるイベント設定情報を、予め入力し、イベント事象の発生を検出すると、イベント事象の内容であるイベント事象情報を生成し、イベント設定情報とイベント事象情報とにより、イベント情報を生成することを特徴とする。
【００１７】
請求項１１記載の映像録画制御装置の制御方法は、イベント事象が、映像録画制御装置の外部に設けられたセンサーの検出によるセンサー検知、撮影手段によって撮影された映像の所定の変化の検出による映像変化検知、撮影手段によって撮影された映像を解析することによって得られる所定の事象の検出による映像解析検知、又は音声入力手段に採取された音声を解析することによって得られる所定の事象の検出による音声検知であることを特徴とする。
【００１８】
請求項１２記載の映像録画制御装置の制御方法は、センサー検知における検出する内容、映像変化検知における検出する変化の内容、映像解析検知における検出する解析の内容及び音声検知における検出する解析の内容であるイベント事象検知条件を、予め入力設定可能であることを特徴とする。
【００１９】
請求項１３記載の映像録画制御装置の制御方法は、イベント設定情報のうち、映像への処理内容が、画質の変更又はマスキングであることを特徴とする。
【００２０】
請求項１４記載の映像録画制御装置の制御方法は、イベント設定情報のうち、録画の制御内容が、録画の有無又は録音の有無であることを特徴とする。
【００２１】
請求項１５記載の映像録画制御装置の制御方法は、各種のイベント事象に対し、どのようなイベント設定情報を組み合わせるかを、予めパターン化したイベントパターン情報を入力し、複数のイベントパターン情報を切り替えることが可能なことを特徴とする。
【００２２】
請求項１６記載の映像録画制御装置の制御方法は、映像録画制御装置の外部から指令で、イベントパターン情報を切り替えられることを特徴とする。
【発明の効果】
【００２３】
本願の発明によれば、外部等で発生した各種のイベントに対して映像を細かく制御して録画可能である。
【図面の簡単な説明】
【００２４】
【図１】本発明に係る映像録画制御装置の構成の一例を示す構成図である。
【図２】同映像録画制御装置の動作の例を示す説明図である。
【図３】同映像録画制御装置のマスキングの様子を示す説明図である。
【発明を実施するための形態】
【００２５】
以下、本発明の形態について図面を参照しながら具体的に説明する。図１は、本発明に係る映像録画制御装置の構成の一例を示す構成図である。図２は、同映像録画制御装置の動作の例を示す説明図である。図３は、同映像録画制御装置のマスキングの様子を示す説明図である。
【００２６】
映像録画制御装置１は、撮影された映像の保存を制御するための装置であり、本願発明は、その制御方法及びその制御方法を実現する装置に関するものである。映像録画制御装置１の制御方法は、映像への処理内容又は及び録画の制御内容であるイベント情報を、映像録画制御装置１の外部又は及び内部で発生したイベント事象に応じて生成し、イベント情報により、映像への処理内容又は及び録画の制御内容を変えるものである。
【００２７】
映像録画制御装置１の基本的な構成としては、撮影手段によって撮影された映像に必要に応じて所定の処理を行うと共に、記憶手段に対しての録画の制御を行うイベント処理手段と、イベント処理手段で行う映像への処理内容又は及び録画の制御内容であるイベント情報を、映像録画制御装置１の外部又は及び内部で発生したイベント事象に応じて生成するイベント情報生成手段とを備え、イベント情報生成手段がイベント事象に応じて生成したイベント情報により、イベント処理手段が映像への処理内容又は及び録画の制御内容を変えるものである。
【００２８】
ここで、映像録画制御装置１は、各種電子回路及びソフトウェアで実現されるのが一般的で、例えば、実質的に電子計算機のごとく構成され、その動作機能が電子計算機の機能として達成されるものである。但し、必ずしも電子回路とソフトウェアで構成される必要は無く、例えば、電子回路のみで構成することも可能で、その形態により制限されるものではない。
【００２９】
また、撮影手段は、例えば、カメラ１００である。このカメラ１００は、映像録画制御装置１に直接接続されたものでもよいし、後述する電気通信回線５で接続されたものでもよく、その形態によって制限されるものではない。さらに、記憶手段２０は、映像をデータとして記憶するもので、例えば、図１に示すように映像録画制御装置１に内蔵されるもので、具体的には、ハードディスク（ＨＤＤ）やＳＳＤ（Ｓｏｌｉｄ  Ｓｔａｔｅ  Ｄｒｉｖｅ）ではあるが、映像を記憶（録画）可能であれば、どのような媒体でもよい。また、記憶手段としては、映像録画制御装置１に内蔵されたものでもよいし、後述する電気通信回線５で接続されたものでもよく、その形態によって制限されるものではない。
【００３０】
通信手段３０は、必須ではないが、映像録画制御装置１が外部の情報通信端末３００と接続したり、上述のように、外部の撮影手段や記憶手段と電気通信回線５を介して接続する場合には必要になるものである。尚、通信手段３０の形態としては、例えば、インターネットに接続可能なものや、公衆電話回線に接続できるものがあるが、その形態により制限されるものではない。尚、映像録画制御装置１に電気通信回線５を介して接続可能な情報通信端末３００は、例えば、携帯電話やスマートホンが考えられるが、電子計算機でもよく、他の映像録画制御装置であってもよく、その形態により制限されるものではない。
【００３１】
次に、本実施の形態における映像録画制御装置１の機能的な構成について説明する。尚、以下で説明する機能的な構成（名称として「部」としているもの）は、ハードウェア的に構成してもよいし、ソフトウェアで構成してもよいし、両方により構成してもよいものである。
【００３２】
イベント処理手段は、撮影手段であるカメラ１００によって撮影された映像に必要に応じて所定の処理を行うと共に、記憶手段２０に対しての録画の制御を行うもので、本実施の形態では、図１のイベント処理部１０、映像音声エンコード部１２やプライバシーマスキング部１４が該当する。この中で、イベント処理部１０は、一般的な制御として、カメラ１００によって撮影された映像に必要に応じて例えば映像を間引いたり等の所定の処理を行うと共に、記憶手段２０に対しての録画を行うか行わないか等の制御を行うものである。また、映像音声エンコード部１２やプライバシーマスキング部１４は、カメラ１００によって撮影された映像に必要に応じて所定の処理を行うものである。
【００３３】
イベント情報生成手段は、イベント処理手段で行う映像への処理内容又は及び録画の制御内容であるイベント情報を、映像録画制御装置１の外部又は及び内部で発生したイベント事象に応じて生成するものである。ここで、イベント事象とは、例えば、映像録画制御装置１の外部に設けられたセンサー１１０の検知情報や、映像録画制御装置１の内部のスケジュールタイマー部４８の時間情報等である。また、イベント情報とは、映像への処理内容又は及び録画の制御内容で、録画を行うか否かや、録画の質（解像度）の変更等である。  そして、映像録画制御装置１は、イベント情報生成手段がイベント事象に応じて生成したイベント情報により、イベント処理手段が映像への処理内容又は及び録画の制御内容を変えることが可能である。
【００３４】
イベント情報生成手段は、イベント処理手段で行う映像への処理内容又は及び録画の制御内容の具体的項目であるイベント設定情報を入力設定するイベント設定情報入力設定手段と、イベント事象の発生を検出すると共に、イベント事象の内容であるイベント事象情報を生成するイベント事象検出手段とを有している。そして、イベント情報生成手段が、イベント設定情報とイベント事象情報とにより、イベント情報を生成することになる。具体的には、イベント情報生成手段が、イベント事象情報が発生したことを受けて、そのイベント事象により生じたイベント事象情報に基づいて予め設定されたイベント設定情報により、イベント情報を生成する。すなわち、イベント情報とは、どのタイミングで、どのようなきっかけ（トリガー）により、どのような処理を行い、どのように録画を行うかという情報である。
【００３５】
尚、イベント設定情報入力設定手段は、図示していないが、映像録画制御装置１に設けられた入力手段や、外部から電気通信回線５を介して通信手段３０に接続された情報通信端末３００等がその機能を有する形態にすればよく、その形態によって制限されるものではない。
【００３６】
イベント事象検出手段が検出するイベント事象としては、例えば、映像録画制御装置１の外部に設けられたセンサー１１０の検出によるセンサー検知がある。センサー１１０は、敷地内に人が侵入したことを検知するものや、ドアの開閉を検知するものや、各種のものが想定される。そして、センサー１１０におけるイベント事象検出手段が、トリガー検出部４０ということになる。尚、本実施の形態においては、このトリガー検出部４０は、イベント設定情報入力設定手段からのイベント設定情報も持ち合わせ、イベント情報生成手段の機能も有しているが、イベント事象検出手段とイベント情報生成手段とを別にすることも可能である。
【００３７】
また、イベント事象検出手段が検出するイベント事象としては、例えば、カメラ１００によって撮影された映像の所定の変化の検出による映像変化検知がある。この映像変化の検知は、カメラ１００からの映像を、イベント事象検出手段としての映像変化検出部４２が行い、予め設定した映像の変化を検出することになる。尚、本実施の形態においては、この映像変化検出部４２は、イベント設定情報入力設定手段からのイベント設定情報も持ち合わせ、イベント情報生成手段の機能も有しているが、イベント事象検出手段とイベント情報生成手段とを別にすることも可能である。
【００３８】
さらに、イベント事象検出手段が検出するイベント事象としては、例えば、カメラ１００によって撮影された映像を解析することによって得られる所定の事象の検出による映像解析検知がある。この映像解析検知は、カメラ１００からの映像を、イベント事象検出手段としての映像解析部４４が行い、予め設定した映像の解析を行い、得られる所定の事象を検出することになる。尚、本実施の形態においては、この映像解析部４４は、イベント設定情報入力設定手段からのイベント設定情報も持ち合わせ、イベント情報生成手段の機能も有しているが、イベント事象検出手段とイベント情報生成手段とを別にすることも可能である。尚、本実施の形態では、図１で、映像変化検出部４２と映像解析部４４とを、一つの構成として記載しているが、これらを別々の構成とすることも可能である。
【００３９】
さらに、イベント事象検出手段が検出するイベント事象としては、例えば、音声入力手段であるマイク１０２に採取された音声を解析することによって得られる所定の事象の検出による音声検知がある。この音声検知の検知は、マイク１０２からの音声を、イベント事象検出手段としての音声解析部４６が行い、予め設定した音声の解析を行い、得られる所定の事象を検出することになる。尚、本実施の形態においては、この音声解析部４６は、イベント設定情報入力設定手段からのイベント設定情報も持ち合わせ、イベント情報生成手段の機能も有しているが、イベント事象検出手段とイベント情報生成手段とを別にすることも可能である。尚、マイク１０２がカメラ１００と一体になっており、音声がカメラ１００の映像と一体になっている場合には、映像の中の音声を用いることも可能である。
【００４０】
尚、映像変化検出部４２で検出する変化は、例えば、ドアが開いたり、所定に物が倒れたりといった事で、映像解析部４４で解析して得られる事象は、人が通り過ぎたり、動物が通り過ぎたりといった事で、音声解析部４６で解析して得られる事象は、所定の大きさの音の発生や、発生した音の種類といったことであり、それぞれの内容は、任意に設定すればよい。
【００４１】
また、映像録画制御装置１は、センサー検知における検出する内容、映像変化検知における検出する変化の内容、映像解析検知における検出する解析の内容及び音声検知における検出する解析の内容であるイベント事象検知条件を入力設定するイベント事象検知条件入力設定手段を備えている。イベント事象検知条件入力設定手段は、図示していないが、映像録画制御装置１に設けられた入力手段や、外部から電気通信回線５を介して通信手段３０に接続された情報通信端末３００等がその機能を有する形態にすればよく、その形態によって制限されるものではない。
【００４２】
尚、イベント設定情報のうち、映像への処理内容を、画質の変更又はマスキングとすることができる。この画質の変更は、解像度の変更の他、録画形式の変更も含まれるものとし、その形態によって制限されるものではない。
【００４３】
また、このマスキングは、プライバシーマスキング部１４での処理として、例えば、図３の（ａ）に示すような事務スペースｐと休憩スペースｆとが隣接するようなオフィスを撮影し録画するような場合、図３の（ｂ）に示すように、休憩スペースｆをマスキングした後に録画するといったことが考えられる。尚、図３（ｂ）では、撮影したものの一部にマスキングを施しているが、全体にマスキングを施すことも含まれるものとし、マスキングの形態によって制限されるものではない。
【００４４】
また、イベント設定情報のうち、録画の制御内容を、録画の有無又は録音の有無とすることも可能である。すなわち、常時録画又は常時録音である中で、イベント処理として、録画や録音を中止する、ということも可能である。
【００４５】
以上のような構成の映像録画制御装置１によれば、外部等で発生した各種のイベントに対して映像を細かく制御して録画可能である。
【００４６】
また、本実施の形態の映像録画制御装置１に、各種のイベント事象に対し、どのようなイベント設定情報を組み合わせるかを、予めパターン化したイベントパターン情報を入力設定するイベントパターン入力設定手段と、複数のイベントパターン情報を切り替えるイベントパターン切替手段であるイベントパターン切替部５０とを備えることが可能である。図２の「イベントパターン１」や「イベントパターン２」が、パターン化されたイベントパターン情報のパターン名である。尚、イベント事象、イベント設定情報、イベントパターンの例は、実施例１で詳説する。
【００４７】
尚、イベントパターン切替手段であるイベントパターン切替部５０でのイベントパターン情報の切替は、例えば、映像録画制御装置１の内部の時間や曜日の管理であるスケジュールタイマー部４８からの情報で切り替えることも可能であるが、映像録画制御装置１の外部から指令で、イベントパターン情報を切り替えることも可能である。外部からの指令としては、例えば、映像録画制御装置１の外部に設けられたイベントパターン切替装置２００がある。このイベントパターン切替装置２００は、単なるスイッチでもよいし、警備装置の警戒と解除を切り替えるような機能を持った装置であってもよい。また、外部から電気通信回線５を介して通信手段３０に接続された情報通信端末３００等により、映像録画制御装置１の外部から指令で、イベントパターン情報を切り替えることも可能である。
【実施例１】
【００４８】
映像録画制御装置１の具体的な動作や設定例について、図２に基づいて説明する。尚、図２の見方としては、例えば、イベント事象のセンサー１１０において、イベントパターン１の場合が、重要監視対象の異常検出がイベント事象であり、イベントパターン２の場合が、不在時の防犯／設備監視がイベント事象であり、イベントパターン３の場合が、来訪者検知がイベント事象である。そして、イベント事象に対するイベント設定情報としては、録画録音のＯＮ／ＯＦＦとして、イベントパターン１の場合が、重要監視対象の記録（録画）であり、イベントパターン２の場合が、防犯記録としての出入口や窓の記録（録画）であり、イベントパターン３の場合が、日中犯罪抑止記録として最低限必要な部分だけの記録（録画）である。
【００４９】
次に、具体的な例を説明する。イベント事象としてのセンサー１１０を検知した場合又は逆に検知しなかった場合において、イベントパターン１では、重要監視対象の異常検出により（例えば、非常押釦が押されたり、水位計による水位異常検出等）、対になって設定されたイベント設定情報に基づき、録画の処理や制御が行われる。このイベントパターン１におけるイベント設定すなわち、イベントパターン１が選ばれている期間にセンサー１１０が検知した場合には、録画録音においては、録画動作のＯＮ／ＯＦＦであり、重要監視対象は全て録画することになる。また、このセンサー１１０の検知のイベントパターン１における動作処理切替として設定可能な内容は、録画映像の動作設定として、解像度やフレームレートや画質の設定や変更が可能である。
【００５０】
また、イベントパターン１が選ばれている期間にセンサー１１０が検知した場合のマスキングとしては、マスキングＯＮ／ＯＦＦとして、マスキングを行うものの、その範囲は、撮影不可の対象物（例えば、他人の住居や他人の敷地等）をマスキングするのみで、それ以外にはマスキングを行わないことになる。また、このセンサー１１０の検知のイベントパターン１における動作処理切替として設定可能な内容は、マスキングの動作設定として、マスキング対象エリアの変更が可能である。
【００５１】
イベント事象としてのセンサー１１０を検知した場合又は逆に検知しなかった場合において、イベントパターン２では、不在時の防犯／設備監視であり、例えば、不在時に窓のセンサー１１０の開閉の検出により、対になって設定されたイベント設定情報に基づき、録画の処理や制御が行われる。このイベントパターン２におけるイベント設定すなわち、イベントパターン２が選ばれている期間にセンサー１１０が検知した場合には、録画録音においては、録画動作のＯＮ／ＯＦＦであり、例えば、防犯上必要な範囲の映像を録画することになる。また、このセンサー１１０の検知のイベントパターン２における動作処理切替として設定可能な内容は、録画映像の動作設定として、解像度やフレームレートや画質の設定や変更が可能である。
【００５２】
また、イベントパターン２が選ばれている期間にセンサー１１０が検知した場合のマスキングとしては、マスキングＯＮ／ＯＦＦとして、マスキングを行わないことになる。
【００５３】
イベント事象としてのセンサー１１０を検知した場合又は逆に検知しなかった場合において、イベントパターン３では、来訪者検知であり、例えば、来場者の通知チャイムの検出により、対になって設定されたイベント設定情報に基づき、録画の処理や制御が行われる。このイベントパターン３におけるイベント設定すなわち、イベントパターン３が選ばれている期間にセンサー１１０が検知した場合には、録画録音においては、録画動作のＯＮ／ＯＦＦであり、例えば、日中の防犯上必要な範囲（例えば、来場者の映像のみ）の映像を録画することになる。また、このセンサー１１０の検知のイベントパターン３における動作処理切替として設定可能な内容は、録画映像の動作設定として、解像度やフレームレートや画質の設定や変更が可能である。
【００５４】
また、イベントパターン３が選ばれている期間にセンサー１１０が検知した場合のマスキングとしては、マスキングＯＮ／ＯＦＦとして、休憩スペースｆや装置等の暗証番号表示部や暗証番号操作部等にマスキングを行うことになる。
【００５５】
イベント事象としての映像検知（変化や解析）をした場合又は逆に検知しなかった場合において、イベントパターン１では、重要監視対象の異常検出により、対になって設定されたイベント設定情報に基づき、録画の処理や制御が行われる。このイベントパターン１におけるイベント設定は、例えば、センサー検知の場合と同様である。
【００５６】
また、イベント事象としての映像検知（変化や解析）をした場合又は逆に検知しなかった場合において、イベントパターン２では、危険行為や異常状況検出により、対になって設定されたイベント設定情報に基づき、録画の処理や制御が行われる。このイベントパターン２におけるイベント設定は、例えば、センサー検知の場合と同様である。
【００５７】
また、イベント事象としての映像検知（変化や解析）をした場合又は逆に検知しなかった場合において、イベントパターン３では、人物解析程度の検出により、対になって設定されたイベント設定情報に基づき、録画の処理や制御が行われる。このイベントパターン３におけるイベント設定は、例えば、センサー検知の場合と同様である。尚、イベントパターン１〜３で、検知処理切替として、対象エリアの変更、解析処理の種類の組合せを任意に設定することができる。
【００５８】
イベント事象としての音声検知をした場合又は逆に検知しなかった場合において、イベントパターン１では、危険エリア防犯検出（悲鳴検出等）により、対になって設定されたイベント設定情報に基づき、録画の処理や制御が行われる。このイベントパターン１におけるイベント設定は、例えば、センサー検知の場合と同様である。
【００５９】
イベント事象としての音声検知をした場合又は逆に検知しなかった場合において、イベントパターン２では、夜間危険エリアや不在エリアでの防犯検出により、対になって設定されたイベント設定情報に基づき、録画の処理や制御が行われる。このイベントパターン２におけるイベント設定は、例えば、センサー検知の場合と同様である。
【００６０】
イベント事象としての音声検知をした場合又は逆に検知しなかった場合において、イベントパターン３では、来訪者検知により、対になって設定されたイベント設定情報に基づき、録画の処理や制御が行われる。このイベントパターン３におけるイベント設定は、例えば、センサー検知の場合と同様である。尚、イベントパターン１〜３で、検知処理切替として、検知する音量レベル、対象周波数範囲の変更を任意に設定することができる。
【００６１】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６２】
以上のように、本発明によれば、外部等で発生した各種のイベントに対して映像を細かく制御して録画可能な映像録画制御装置及び映像録画制御装置の制御方法を提供することができる。
【符号の説明】
【００６３】
１・・・・・映像録画制御装置
５・・・・・電気通信回線
１０・・・・イベント処理部
１２・・・・映像音声エンコード部
１４・・・・プライバシーマスキング部
２０・・・・記憶手段
３０・・・・通信手段
４０・・・・トリガー検出部
４２・・・・映像変化検出部
４４・・・・映像解析部
４６・・・・音声解析部
４８・・・・スケジュールタイマー部
５０・・・・イベントパターン切替部
１００・・・カメラ
１０２・・・マイク
１１０・・・センサー
２００・・・イベントパターン切替装置
３００・・・情報通信端末
【図１】
2020072456.tif 000003
【図２】
2020072456.tif 000004
【図３】
2020072456.tif 000005